【手続補正書】
【提出日】平成16年11月9日(2004.11.9)
【手続補正１】
【補正対象書類名】明細書
【補正対象項目名】特許請求の範囲
【補正方法】変更
【補正の内容】
【特許請求の範囲】
【請求項１】  A.基板；及び
B.基板に隣接した内側表面と、外側表面とを有する、以下のものを含む感熱性複合層構造体：
(a)内側表面を有する第一層であって、水溶液中に可溶性または分散性である第一のポリマー状物質と、水溶液における第一層の可溶性を減少する可溶化阻害物質を含む第一層；並びに
(b)外側表面を有し、第二のポリマー状物質を含む第二層であって、水溶液中に不溶性であり、第一層が光熱変換物質を含まない場合、第二層は光熱変換物質を含まない第二層；
を含み、前記複合層構造体を加熱した際、加熱化複合層構造体は、水溶液中で増大した除去速度を有する、ポジ型熱画像形成エレメント。
【請求項２】  前記水溶液が、約６以上のｐＨを有する、請求項１記載のエレメント。
【請求項３】  前記ポリマー状物質が、カルボキシ官能性アクリル、フェノール基を含むアクリル、スルホンアミド基を含むアクリル、N-アクリルスルホンアミド基を含むアクリル、セルロースベースのポリマー及びコポリマー、ビニルアセタート／クロトナート／ビニルネオデカノアートコポリマー、スチレンマレイン酸無水物コポリマー、ポリビニルアセタール、フェノール樹脂、マレイン酸化ウッドロジン、及びそれらの組み合わせからなる群から選択される、請求項１または２記載のエレメント。
【請求項４】  前記第一のポリマー状物質がフェノール樹脂である、請求項３記載のエレメント。
【請求項５】  前記第一のポリマー状物質が、ノボラック樹脂、レゾール樹脂、またはノボラック／レゾール樹脂混合物である、請求項４記載のエレメント。
【請求項６】  前記第一のポリマー状物質が、カルボン酸官能性を含まず、フェノール基、スルホンアミド基、N-アシルスルホンアミド、またはそれらの組み合わせの少なくとも一つを含む、アルカリ可溶性アクリル樹脂である、請求項３記載のエレメント。
【請求項７】  前記第一のポリマー状物質が、エチルアクリラートと、メチルメタクリラートと、(1-(1-イソシアナト-1-メチル)エチル-3-(1-メチル)エテニルベンゼン)/p-アミノフェノール反応産物のウレア付加物とのターポリマー；アクリロニトリルと、メタクリルアミドと、(1-(1-イソシアナト-1-メチル)エチル-3-(1-メチル)エテニルベンゼン)/p-アミノフェノール反応産物のウレア付加物とのターポリマー；アクリロニトリルと、2-ヒドロキシエチルメタクリラート/p-トルエンスルホニルイソシアナート反応産物のウレタン付加物とのコポリマー；メタクリルアミドと、N-フェニルマレイミドと、(1-(1-イソシアナト-1-メチル)エチル-3-(1-メチル)エテニルベンゼン)/p-アミノフェノール反応産物のウレア付加物とのターポリマー；アクリロニトリルと、メタクリルアミドと、N-フェニルマレイミドと、(1-(1-イソシアナト-1-メチル)エチル-3-(1-メチル)エテニルベンゼン)/2-アミノ-4-スルホンアミドフェノール反応産物のウレア付加物とのテトラポリマー；並びにアクリロニトリルと、メタクリルアミドと、イソシアナトエチルメタクリラート/p-アミノフェノール反応産物のウレア付加物とのターポリマーからなる群から選択されるアクリル樹脂である、請求項３記載のエレメント。
【請求項８】  前記可溶化阻害物質が、少なくとも一つの窒素原子が第四級化されており、複素環に取り込まれており、または第四級化されて複素環に取り込まれている窒素含有化合物である、請求項１から７のいずれか一項記載のエレメント。
【請求項９】  前記第四級化窒素を含む可溶化阻害物質が、トリアリールメタン染料；テトラアルキルアンモニウム化合物；キノリン化合物；トリアゾール化合物；キノリニウム化合物；ベンゾチアゾリウム化合物；ピリジニウム化合物；またはカチオン性シアニン染料である、請求項８記載のエレメント。
【請求項１０】  前記第四級化窒素を含む可溶化阻害物質が、クリスタルバイオレット(Clベースバイオレット３)；エチルバイオレット；ビクトリアブルー BO；Ｃ１４アルキルトリメチルアンモニウムブロミド；1,2,4-トリアゾール；モナゾリン C；モナゾリン O；モナゾリン CY；モナゾリン T；1-エチル-2-メチルキノリニウムアイオダイド；1-エチル-4-メチル-キノリニウムアイオダイド；3-エチル-2-メチルベンゾチアゾリウムアイオダイド；セチルピリジニウムブロミド、エチルビオロゲンジブロミド；フルオロピリジニウムテトラフルオロボラート；キノリジンブルー；3-エチル-2-[3-(3-エチル-2(3H)-ベンゾチアゾリリデン)-2-メチル-1-プロペニル]ベンゾチアゾリウムアイオダイド；以下の構造を有する染料 A；
【化１】
2003518264.tif 000001
以下の構造を有する染料 B；
【化２】
2003518264.tif 000002
以下の構造を有する染料 C；
【化３】
2003518264.tif 000003
からなる群から選択される、請求項９記載のエレメント。
【請求項１１】  前記可溶化阻害物質が、カルボニル含有化合物である、請求項１から７のいずれか一項記載のエレメント。
【請求項１２】  前記カルボニル含有化合物が、α-ナフトフラボン、β-ナフトフラボン、2,3-ジフェニル-1-インデンオン、フラボン、フラバノン、キサントン、ベンゾフェノン、N-(4-ブロモブチル)-フタルイミド、またはフェナンスレンキノンである、請求項１１記載のエレメント。
【請求項１３】  前記可溶化阻害物質が、o-ジアゾナフトキノン部分を含む、請求項１から７のいずれか一項記載のエレメント。
【請求項１４】  前記o-ジアゾナフトキノン部分が、第一のポリマー状物質に結合している、請求項１３記載のエレメント。
【請求項１５】  前記第二のポリマー状物質が、アクリルポリマー及びコポリマー；ポリスチレン；スチレン−アクリルコポリマー；ポリエステル、ポリアミド；ポリウレア；ポリウレタン；ニトロセルロース；エポキシ樹脂；及びそれらの組み合わせからなる群から選択される、請求項１から１４のいずれか一項記載のエレメント。
【請求項１６】  前記第二のポリマー状物質が、ポリメチルメタクリラートである、請求項１５記載のエレメント。
【請求項１７】  前記第二のポリマー状物質が、ニトロセルロースである、請求項１５記載のエレメント。
【請求項１８】  前記第一層が、光熱変換物質を含む、請求項１から１７のいずれか一項記載のエレメント。
【請求項１９】  前記第二層が、光熱変換物質を含む、請求項１から１７のいずれか一項記載のエレメント。
【請求項２０】  前記第二層が、光熱変換物質を含まない、請求項１から１７のいずれか一項記載のエレメント。
【請求項２１】  前記第一層及び第二層の両者が、光熱変換物質を含む、請求項１から１７のいずれか一項記載のエレメント。
【請求項２２】  第一層中の光熱変換物質と、第二層中の光熱変換物質が、同じ物質である、請求項２１記載のエレメント。
【請求項２３】  第一層が光熱変換物質を含まない場合、前記エレメントが赤外線照射に感受性ではない、請求項１から１７のいずれか一項記載のエレメント。
【請求項２４】  前記複合層構造体を加熱した際に、前記第一層が、水溶液中への増大した溶解または分散速度を有する、請求項１から２３のいずれか一項記載のエレメント。
【請求項２５】  前記複合層構造体を加熱した際に、前記第二層が、水溶液に対する増大した浸透性を有する、請求項１から２４のいずれか一項記載のエレメント。
【請求項２６】  前記光熱変換物質が、赤外線吸収染料または顔料である、請求項１から２５のいずれか一項記載のエレメント。
【請求項２７】  前記基板が親水性であり、前記エレメントがポジ型のリソグラフ印刷版前駆体である、請求項１から２６のいずれか一項記載のエレメント。
【請求項２８】  前記基板がアルミニウム基板である、請求項２７記載のエレメント。
【請求項２９】  前記アルミニウム基板が砂目立てられた酸化表面を有し、前記第一層が砂目立てられた酸化表面に適用される、請求項２８記載のエレメント。
【請求項３０】  前記親水性基板が、ポリマー状シート物質である、請求項２７記載のエレメント。
【請求項３１】  前記ポリマー状シート物質が、ポリエチレンテレフタラートを含む、請求項３０記載のエレメント。
【請求項３２】  I)請求項１から３１のいずれか一項記載のポジ型サーマル画像形成エレメントを準備する工程；
II)前記複合層構造体を熱エネルギーに画像状に露光し、前記複合体構造において露光部分と、相補的な非露光部分を提供し、ここで露光部分は水溶液によって選択的に除去可能である工程；並びに
III)外側の親油性表面に水溶液を適用し、露光部分を除去して、親水性基板の被覆されていない親水性領域と、相補的な外側の親油性表面のインキ受容性領域とを有する画像形成済みリソグラフ印刷版を生産する工程；
を、この順序で含む、リソグラフ印刷版を形成する方法。
【請求項３３】  前記水溶液が、約８から約13.5の間のｐＨを有する、請求項３２記載の方法。
【請求項３４】  画像状に露光する工程が赤外線放射レーザーで実施され、光熱変換物質が赤外線吸収性化合物である、請求項３２または３３記載の方法。
【請求項３５】  画像状に露光する工程が、熱プリンティングヘッドで実施される、請求項３２または３３記載の方法。
【請求項３６】  工程IIIの後に、画像形成されたリソグラフプレートが、熱エネルギーに均一にさらされる、請求項３２から３５のいずれか一項記載の方法。
【請求項３７】  エチルアクリラートと、メチルメタクリラートと、(1-(1-イソシアナト-1-メチル)エチル-3-(1-メチル)エテニルベンゼン)(m-TDI)/p-アミノフェノール反応産物のウレア付加物とのターポリマー(AR-1)。
【請求項３８】  アクリロニトリルと、メタクリルアミドと、(1-(1-イソシアナト-1-メチル)エチル-3-(1-メチル)エテニルベンゼン)(m-TDI)/p-アミノフェノール反応産物のウレア付加物とのターポリマー(AR-2)。
【請求項３９】  メタクリルアミドと、N-フェニルマレイミドと、(1-(1-イソシアナト-1-メチル)エチル-3-(1-メチル)エテニルベンゼン)(m-TDI)/p-アミノフェノール反応産物のウレア付加物とのターポリマー(AR-4)。
【請求項４０】  アクリロニトリルと、メタクリルアミドと、N-フェニルマレイミドと、(1-(1-イソシアナト-1-メチル)エチル-3-(1-メチル)エテニルベンゼン)(m-TDI)/2-アミノ-4-スルホンアミドフェノール反応産物のウレア付加物とのテトラポリマー(AR-5)。